(57)【要約】【課題】本発明の用紙受けトレイ（４）によれば、用紙が用紙トレイから落下すること、及び用紙の収容順序が入れ替わることを確実に防止することができる。【解決手段】用紙案内壁（６）は下壁（１４）と、下壁に対して直立状態と傾斜状態とに選択的に配置される上壁（１６）とから構成されている。上壁を傾斜状態に配置せしめた際には、上壁の下端は基壁（８）に当接或いは近接せしめられ、上壁の下端側は下端に向かって下方に傾斜せしめられている。【選択図】        図１
2004292088.tif 000002
【特許請求の範囲】
【請求項１】
用紙排出口から排出されてくる用紙を下方に案内するための用紙案内壁と、該用紙案内壁に対向した基壁とを具備し、該用紙案内壁はその下端から上方に向けて略鉛直に延びる略鉛直部と、該略鉛直部の上端より該用紙排出口から離隔する方向に反曲して延びる先端部とを有する用紙受けトレイにおいて、該用紙案内壁は下壁と、該下壁に対して直立状態と傾斜状態とに選択的に配置される上壁とから構成されており、
該上壁を傾斜状態に配置せしめた際には、該上壁の下端は該基壁に当接或いは近接せしめられ、該上壁の下端側は該下端に向かって下方に傾斜せしめられている、
ことを特徴とする用紙受けトレイ。
【請求項２】
該用紙案内壁の該上壁は該下壁に対して最下降位置と最上昇位置との間を選択的に配置され、該最上昇位置においては該直立状態と該傾斜状態とに選択的に配置される、請求項１記載の用紙受けトレイ。
【発明の詳細な説明】
【０００１】
【発明の属する技術分野】
本発明は用紙排出口から排出されてくる用紙を受ける用紙受けトレイ、特に、それに限定されるものではないが、複写機、プリンター等の画像形成装置などに用いられている用紙受けトレイに関する。
【０００２】
複写機或いはプリンター等の画像形成装置には、比較的大型のサイズの用紙、例えばＪＩＳ規格のＡ０判或いはＢ１判の幅の用紙に印刷できる大型の画像形成装置がある。かような大型の画像形成装置においては、印刷が完了した用紙は画像形成装置の外部に設けられた用紙受けトレイに排出される。かかる用紙受けトレイは用紙排出口から排出されてくる用紙を下方に案内するための用紙案内壁と、用紙案内壁に対向した基壁とを具備している。用紙案内壁はその下端から上方に向けて略鉛直に延びる略鉛直部と、かかる略鉛直部の上端より用紙排出口から離隔する方向に反曲して延びる先端部とを有する。用紙案内壁の略鉛直部には略鉛直方向に延びるスリットが設けられており、かかるスリットには補助盤が装着せしめられている。補助盤は用紙案内壁から外側に突出せしめられている外側突出部と、用紙案内壁から内側に突出せしめられ、基壁に近接乃至接触せしめられている内側突出部とを有している。補助盤はその外側突出部を把持して上下方向に強制することによりスリットの下端と上端との間の任意の位置に位置付けることができる。  かように構成された用紙受けトレイにおいては、用紙排出口から排出された用紙は用紙案内壁によって下方に案内され、用紙の下端は内側突出部上に載置せしめられる。また、かかる用紙受けトレイにおいては、用紙のサイズを変更した場合は、上述した補助盤の外側突出部を適宜な位置に位置付けることにより用紙受けトレイは用紙のサイズに応じた収容が可能となる。
【０００３】
しかしながら、サイズの異なる用紙を連続的に用紙受けトレイに収容する際、例えば比較的短い長さ（ここで比較的短い長さとは、用紙受けトレイに収容された用紙の上端が用紙案内壁における略鉛直部の上端よりも下方に位置する程度の長さをいう）の用紙が用紙受けトレイに収容され、次いで比較的長い長さ（ここで比較的長い長さとは、用紙受けトレイに収容された用紙の上端部が用紙案内壁の上端から垂れ下がる程度の長さをいう）の用紙が用紙受けトレイに収容される際に、比較的長い長さの用紙が用紙案内壁によって下方に案内されてくる時に、かかる用紙の先端が比較的短い長さの用紙の上端に当たり、比較的長い長さの用紙は、用紙受けトレイに収容されるのを阻止され、用紙受けトレイから落下してしまう虞がある。また、かかる際には、比較的長い長さの用紙が用紙案内壁によって下方に案内されてくる時に、用紙受けトレイ内における用紙同士の収容順序が入れ替わってしまう虞がある。
【０００４】
【発明が解決しようとする課題】
本発明は上述した事実に鑑みてなされたものであり、その主たる技術課題は用紙が用紙受けトレイから落下すること、及び用紙の収容順序が入れ替わることを確実に防止することができる新規且つ改良された用紙受けトレイを提供することである。
【０００５】
【課題を解決するための手段】
本発明によれば、上記主たる技術課題を達成する用紙受けトレイとして、用紙排出口から排出されてくる用紙を下方に案内するための用紙案内壁と、該用紙案内壁に対向した基壁とを具備し、該用紙案内壁はその下端から上方に向けて略鉛直に延びる略鉛直部と、該略鉛直部の上端より該用紙排出口から離隔する方向に反曲して延びる先端部とを有する用紙受けトレイにおいて、
該用紙案内壁は下壁と、該下壁に対して直立状態と傾斜状態とに選択的に配置される上壁とから構成されており、
該上壁を傾斜状態に配置せしめた際には、該上壁の下端は該基壁に当接或いは近接せしめられ、該上壁の下端側は該下端に向かって下方に傾斜せしめられている、ことを特徴とする用紙受けトレイが提供される。
【０００６】
好ましくは、該用紙案内壁の該上壁は該下壁に対して最下降位置と最上昇位置との間を選択的に配置され、該最上昇位置においては該直立状態と該傾斜状態とに選択的に配置される。
【０００７】
【発明の実施の形態】
以下、本発明に従って構成された用紙受けトレイの好適実施形態を図示している添付図面を参照して、更に詳細に説明する。
【０００８】
図１には本発明にかかる用紙受けトレイの好適実施形態が適用される画像形成装置の一典型例が図示されている。全体を番号１００で示す画像形成装置はハウジング１０２を有する。かかるハウジング１０２の長手方向に延びる側面の一方（図１においては右側）には、その上端部に長手方向に延びる、用紙を排出する用紙排出口２と、用紙排出口２よりも下方に配置されている用紙受けトレイ４とが設けられている。
【０００９】
図示の実施形態における用紙受けトレイ４は、用紙排出口２から排出されてくるロール紙である用紙を下方に案内するための用紙案内壁６と、用紙案内壁６に対向している、ハウジング１０２の長手方向に延びる側面の一方を構成する基壁８と、用紙案内壁６の長手方向における両端部と基壁８の両端部との間に介在している側壁１０と、用紙案内壁６の長手方向における下端部と基壁８の下端部との間に介在している底壁１２とを具備している。かかる用紙受けトレイ４は長手方向の略中央で二分されており、両側に観音開きするように構成されている。
【００１０】
図示の実施形態における用紙案内壁６は下壁１４と上壁１６とから構成されている。用紙案内壁６における下壁１４は側壁１０及び底壁１２によって基壁８に固定されており、下端から上方に向けて略鉛直に延びている。かかる下壁１４の内側面には略鉛直方向に延びる複数個の案内溝２２が設けられている。用紙案内壁６における上壁１６は、延出部２４と、かかる延出部２４の上端から用紙排出口２から離隔する方向に反曲して延びる先端部２６とを有する。上壁１６における延出部２４の外側面は下壁１４の内側面に形成された案内溝２２に対応して形成されている。かように構成された上壁１６における延出部２４には複数個の案内スリット１８が設けられ、下壁１４の上端には複数個のピン２０が配設されており、上壁１６は案内スリット１８及びピン２０によって下壁１４に対して最下降位置（図示していない）と最上昇位置（図２に図示する位置）とに選択的に配置され、最上昇位置においてはピン２０を支点として直立状態と傾斜状態（図１に図示する状態）とに選択的に配置されるように構成されている。図示の実施形態における上壁１６が傾斜状態に配置された際には、上壁１６の下端は上壁１６の下端は基壁８に近接せしめられ、基壁８に設けられている保持突起３０によって保持されており、上壁１６の下端側は下端に向かって下方に傾斜せしめられている。
【００１１】
上述されたように構成された用紙受けトレイ４が配設された画像形成装置では、例えば比較的短い長さのロール紙が用紙受けトレイ４に収容され、次いで比較的長い長さのロール紙が用紙受けトレイ４に収容される際には、用紙案内壁６における上壁１６を下壁１４に対して最上昇位置に配置せしめ、次いでピン２０を支点として傾斜状態にせしめて使用する。かくすると、用紙案内壁６における上壁１６の下端は基壁８に当接或いは近接せしめられ、上壁１６の下端側は下端に向かって下方に傾斜せしめられているが故に、用紙排出口２から排出せしめられてくる比較的短い長さのロール紙は用紙案内壁６における上壁１６によって案内されて、比較的短い長さのロール紙の先端、即ち下端は基壁８に当接せしめられる。一方、比較的短い長さのロール紙の先端と対向する端、即ち上端は用紙排出口２から離隔せしめた位置に位置せしめられ、比較的長い長さのロール紙が用紙排出口から排出されてくると、かかるロール紙の先端は最初に比較的短い長さのロール紙の上に落下し、次いで上壁１６の下端に向けて案内され基壁８に当接せしめられる。かくして、用紙の用紙受けトレイ４からの落下を防止することができると共に、用紙の収容順序が入れ替わることを確実に防止することができる。
【００１２】
また、上述されたように構成された用紙受けトレイ４が配設された画像形成装置では、例えば比較的長い長さのロール紙が用紙受けトレイ４に収容され、次いでロール紙が用紙受けトレイ４に収容される際には、用紙案内壁６における上壁１６を下壁１４に対して最下降位置に位置せしめて使用する。
【００１３】
【発明の効果】
本発明によれば、用紙が用紙受けトレイから落下すること、及び用紙の収容順序が入れ替わることを確実に防止することができる。
【図面の簡単な説明】
【図１】本発明に従って構成された用紙受けトレイが適用される画像形成装置の一典型例を図示する斜視図。
【図２】図１に示す用紙受けトレイの上壁を最上昇位置に配置せしめた状態を図示する部分拡大斜視図。
【図３】図１に示す用紙受けトレイの上壁を傾斜状態に配置せしめた状態を図示する部分拡大斜視図。
【図４】図１に示す用紙受けトレイの上壁が傾斜状態に配置せしめられ、上壁の下端が基壁に設けられた保持突起により保持されている状態を図示する部分拡大斜視図。
【符号の説明】
２：用紙排出口
４：用紙受けトレイ
６：用紙案内壁
８：基壁
１４：下壁
１６：上壁
【図１】
2004292088.tif 000003
【図２】
2004292088.tif 000004
【図３】
2004292088.tif 000005
【図４】
2004292088.tif 000006